(57)【要約】  片手（９０）で握る筒状のグリップ（１０）と、グリップ（１０）の一端（１１）に取り付けられ、ＬＥＤ（６１）〜（６３）を収納する発光ユニット（５０）であって、３つの異なる色の光を独立または混合して出力する発光ユニット（５０）と、グリップ（１０）の人差し指（９２）、中指（９３）および薬指（９４）によりそれぞれ押し下げられる位置に配置された３つの色スイッチ（２１）〜（２３）であって、異なる色の光をそれぞれオンオフ制御する第１の機能を操作する３つの色スイッチ（２１）〜（２３）とを有する可搬式の発光装置（１）である。
2013014909.tif 000002
【特許請求の範囲】
【請求項１】
手で握るグリップと、
前記グリップと一体になり、複数の発光素子を収納する発光ユニットであって、少なくとも３つの異なる色の光を独立または混合して出力する発光ユニットと、
前記グリップの人差し指、中指、薬指および小指の少なくともいずれか３つによりそれぞれ押し下げられる位置に配置された複数の色スイッチであって、前記異なる色の光をそれぞれオンオフ制御する第１の機能を操作する複数の色スイッチとを有する可搬式の発光装置。
【請求項２】
請求項１において、
前記グリップは、前記人差し指、中指、薬指および小指のうちの少なくともいずれか３つの指を添える部分がそれぞれ窪んだ複数の凹部を含み、
前記複数の色スイッチは前記複数の凹部にそれぞれ配置されている、発光装置。
【請求項３】
請求項１または２において、
前記複数の色スイッチの内の予め設定された複数の色スイッチを所定の手順で操作することにより、前記複数の色スイッチにより操作される機能が変わるスイッチングパターンを含む、発光装置。
【請求項４】
請求項１ないし３のいずれかにおいて、
予め設定された複数のパターンのいずれかにしたがって前記発光ユニットから出力される光を制御するプログラム制御ユニットと、
前記複数の色スイッチにより操作される機能を前記プログラム制御ユニットの前記複数のパターンのいずれかを選択する第２の機能に切り替える切替スイッチとを有する、発光装置。
【請求項５】
請求項１ないし４のいずれかにおいて、
前記発光ユニットの前記異なる色の光をそれぞれフェードインおよびフェードアウトするフェード制御ユニットと、
前記複数の色スイッチにより操作される機能を前記フェード制御ユニットによりフェードインおよびフェードアウトさせる第３の機能に切り替える切替スイッチとを有する、発光装置。
【請求項６】
請求項４または５において、
前記切替スイッチは前記グリップの親指または小指により操作される位置に配置されている、発光装置。
【請求項７】
請求項６において、
前記グリップは、前記親指または小指を添える部分が窪んだ親指用の凹部または小指用の凹部を含み、
前記切替スイッチは前記親指用の凹部または小指用の凹部に配置されている、発光装置。
【請求項８】
請求項１ないし７のいずれかにおいて、
前記複数の色スイッチの配列を反転する配列制御ユニットを有する、発光装置。
【請求項９】
請求項１ないし８のいずれかにおいて、
当該発光装置を振る動作を検出する加速度センサーと、
前記振る動作により前記発光ユニットから出力される光を制御するモーション制御ユニットを有する、発光装置。
【請求項１０】
請求項９において、
前記モーション制御ユニットは、前記振る動作に対応する輝度信号により前記発光ユニットから出力される光の輝度を制御する輝度制御ユニットとを含む、発光装置。
【請求項１１】
請求項１ないし１０のいずれかにおいて、
前記発光ユニットは前記グリップの延長方向に取り付けられている、発光装置。
【請求項１２】
請求項１１において、
前記グリップは片手で把持され、前記グリップの前記小指の側は掌を支持するように広がっている、発光装置。
【請求項１３】
請求項１ないし１０のいずれかにおいて、
前記発光ユニットは前記グリップの、前記グリップを握ったときの手の甲および／または掌の側に取り付けられている、発光装置。
【請求項１４】
請求項１３において、
前記グリップは前記人差し指、中指、薬指および小指を通す開口を備えた吊り輪状であり、前記発光ユニットは前記開口を介して前記グリップと並列に取り付けられている、発光装置。
【請求項１５】
請求項１ないし１０のいずれかにおいて、
当該発光装置は全体が円盤状または箱型であり、上側に配置された前記発光ユニットおよび下側に配置された前記グリップと、
前記発光ユニットおよび前記グリップの間に設けられた手指を通す開口とを含む、発光装置。
【請求項１６】
請求項１ないし１５のいずれかにおいて、
前記複数の発光素子が前記発光ユニットの長手方向に沿って複数の位置に分散して配置され、前記複数の位置で前記少なくとも３つの異なる色を独立または混合して出力するように配置されている、発光装置。
【請求項１７】
請求項１ないし１６のいずれかにおいて、
前記グリップに収納された２次電池と、
前記グリップに収納された発電ユニットであって、当該発光装置を振ったり、付属の紐またはレバーを駆動することにより発電して前記２次電池を充電する発電ユニットとを有する、発光装置。
【発明の詳細な説明】
【技術分野】
【０００１】
本発明は、片手で把持して動かすことができる可搬式の発光装置に関するものである。
【背景技術】
【０００２】
日本国特許公開公報特開平９−２８２９０２号公報（文献１）には、スイッチの構造を可及的に簡素化して外形を小型にすると共に、廉価に製造できるペンライトなどの発光具を得ることが記載されている。そのため、文献１には、半透明な筒体からなる発光筒と、グリップ筒とを分離可能にねじ結合し、両筒の間に導電膜を一面に形成した電気基板を配し、その電気基板に発光素子を取り付けると共に、電気基板の導電膜に面してバネによって電気基板側へ弾発される電源電極（電池の陽極、バネの電極端）を配することによって、電気基板をスイッチの一部として利用することが記載されている。
【発明の概要】
【０００３】
コンサート会場などの様々な空間や場面で、光を演出（照射）できる発光装置が求められている。
【０００４】
本発明の態様の１つは、手で握るグリップと、グリップと一体になり、複数の発光素子を収納する発光ユニットであって、少なくとも３つの異なる色の光を独立または混合して出力する発光ユニットと、グリップの人差し指、中指、薬指および小指の少なくともいずれか３つによりそれぞれ押し下げられる位置に配置された複数の色スイッチであって、異なる色の光をそれぞれオンオフ制御する第１の機能を操作する複数の色スイッチとを有する可搬式の発光装置である。
【０００５】
この発光装置は、ユーザーが片手または両手でグリップを持って、発光装置が様々な軌跡を描くようにユーザーが体や腕などを動かすことができる。たとえば、ユーザーが片手でグリップを握った状態で、体などの動きと並行して人差し指、中指、薬指または小指を個々に押し下げるだけで、複数の色スイッチを操作できる。したがって、ユーザーは、発光ユニットから出力される光の軌跡、発光ユニットから光が出力されるタイミング、および発光ユニットから出力される光の色を様々に制御できる。
【０００６】
グリップは、人差し指、中指、薬指および小指のうちの少なくともいずれか３つの指を添える部分がそれぞれ窪んだ複数の凹部を含み、複数の色スイッチは複数の凹部にそれぞれ配置されていることが望ましい。
【０００７】
それぞれの指が添えられるところが凹んでいるとグリップを把持しやすく発光装置を片手で動かしやすい。それとともに、それぞれの指が添えられる凹んだ部分にそれぞれの色スイッチを配置しておくと、それぞれの指を動かすだけで、各色のスイッチをその都度確認したり、色スイッチの位置を探さなくても、所望の色スイッチを操作することができる。したがって、指の動き、指を動かすパターン（指使い）により所望の色の光を所望のタイミングでオンオフでき、弦楽器（ギターなど）や管楽器（トランペットなど）のように発光装置を使いこなすことができる。
【０００８】
この発光装置は、複数の色スイッチの内の予め設定された複数の色スイッチを所定の手順で操作することにより、複数の色スイッチにより操作される機能が変わるスイッチングパターンを含むことが望ましい。色スイッチにより操作される機能を、異なる色の光をそれぞれオンオフ制御する第１の機能に対し拡張できる。機能を切り替える、または拡張するための色スイッチの手順（アルゴリズム）としては通常の色のオンオフ操作に対して特殊なものを採用できる。たとえば、手順の一例としては、すべてのスイッチを同時に複数回操作したり、すべてのスイッチを所定の秒数だけ押した後に同時に離したりすることが挙げられる。
【０００９】
この発光装置は、予め設定された複数のパターンのいずれかにしたがって発光ユニットから出力される光を制御するプログラム制御ユニットと、複数の色スイッチにより操作される機能をプログラム制御ユニットの複数のパターンのいずれかを選択する第２の機能に切り替える切替スイッチとを有することが望ましい。
【００１０】
プログラム制御ユニットを用いて第２の機能を加えることで、指で色スイッチを直に操作することでは出力が難しい色とタイミングとで光が出力されるように発光ユニットを制御できる。切替スイッチにより色スイッチの操作対象を変えることで、プログラム制御ユニットを操作するために色スイッチを利用でき、スイッチの数が増えるのを抑制し、片手で簡単に操作できる範囲で多彩なパターンを出力できる。
【００１１】
この発光装置は、発光ユニットの異なる色の光をそれぞれフェードインおよびフェードアウトするフェード制御ユニットと、複数の色スイッチにより操作される機能をフェード制御ユニットによりフェードインおよびフェードアウトさせる第３の機能に切り替える切替スイッチとを有することが望ましい。
【００１２】
フェード制御ユニットを用いて第３の機能を加えることで、指で色スイッチを直に操作することでは難しい色（グラデーション、多階調）と、タイミング（フェード）とで光が出力されるように発光ユニットを制御できる。
【００１３】
色スイッチの操作対象を切り替える切替スイッチはグリップの親指または小指により操作される位置に配置されていることが望ましい。親指または小指で切替スイッチを操作することにより、色スイッチにより操作される機能を次々と簡単に切り替えることができる。第２の機能に切り替える切替スイッチと、第３の機能に切り替える切替スイッチとは共用されていてもよく、親指と、小指との異なる位置に設けられていてもよく、親指で操作できる位置に選択できるように並べて配置されていてもよい。第２の機能に切り替える切替スイッチと、第３の機能に切り替える切替スイッチとを別々に設けることにより、所望のタイミングで自在に、それぞれの機能にダイナミックに切り替えることができる。
【００１４】
グリップは、親指または小指を添える部分が窪んだ親指用の凹部または小指用の凹部を含み、切替スイッチは親指用の凹部または小指用の凹部に配置されていることが望ましい。
【００１５】
発光装置は、複数の色スイッチの配列を反転する配列制御ユニットを有することが望ましい。グリップの握り方を拡張できる。たとえば、発光装置を左右いずれかの手に持ち替えたり、発光装置の上下方向を変えたり、２つの発光装置を両方の手にそれぞれ持ったりしても、同じ指で操作されるスイッチに同じ機能を設定できる。このため、持ち方を変えても、使い慣れた同じ指使いで色スイッチを操作できる。
【００１６】
この発光装置は、当該発光装置を振る動作を検出する加速度センサーと、振る動作により発光ユニットから出力される光を制御するモーション制御ユニットを有することが望ましい。新しい操作対象を追加できる。この操作対象により操作される機能は、色スイッチと同じであってもよく、切替スイッチと同じであってもよく、異なる機能を操作させるようにしてもよい。モーション制御ユニットは、振る動作に対応する輝度信号により発光ユニットから出力される光の輝度を制御する輝度制御ユニットとを含むことが望ましい。ユーザーが発光装置を振る動作に合わせて発光色の輝度をダイナミックに変化させることができる。
【００１７】
発光ユニットはグリップの延長方向、すなわち、グリップを握ったときに親指および／または小指の側に取り付けられているものであってもよい。典型的には、発光ユニットとグリップとが直線的に接続されたリニアタイプ（ペンタイプ）の発光装置を提供できる。
【００１８】
グリップが片手で把持されるタイプの場合は、小指の側は掌を支持するように広がっていることが望ましい。指だけではなく掌（手のひら）でもグリップが滑らないように支持できるので、いっそう発光装置を片手で動かしやすく、発光ユニットが多種多様な軌跡を描くように動かしやすい。
【００１９】
発光ユニットはグリップの、グリップを握ったときの手の甲および／または掌の側に取り付けられているものであってもよい。典型的には、発光ユニットとグリップとが並列に接続されたパラレルタイプの発光装置を提供できる。グリップは人差し指、中指、薬指および小指を通す開口を備えた吊り輪状であり、発光ユニットは開口を介してグリップと並列に取り付けられていることが望ましい。吊り輪状のグリップに手指を引っ掛けることにより、グリップを強固に握っていなくても発光装置が落下することを防止できる。
【００２０】
発光装置は全体が円盤状または箱型であり、上側に配置された発光ユニットおよび下側に配置されたグリップと、発光ユニットおよびグリップの間に設けられた手指を通す開口とを含むものであってもよい。
【００２１】
発光ユニットの形状は棒状に限らず、半円状、平板状、円錐状、ハート形、多角形、放射形など様々な形状であってもよい。発光ユニットが棒状などのように長い形状の場合は、複数の発光素子が発光ユニットの長手方向に沿って複数の位置に分散して配置され、複数の位置で少なくとも３つの異なる色を独立または混合して出力するように配置されていることが望ましい。
【００２２】
また、この発光装置は、グリップに収納された２次電池と、グリップに収納された発電ユニットであって、当該発光装置を振ったり、付属の紐またはレバーを駆動することにより発電して２次電池を充電する発電ユニットとを有することが望ましい。グリップに一次電池を収納しておいてもよく、２次電池と発電ユニットを収納しておき、発電装置を動かすエネルギーを利用して発光ユニットを発光させてもよい。また、紐やレバーを動かすことにより充電させてもよい。
【図面の簡単な説明】
【００２３】
【図１】第１の実施形態に係る発光装置の概要を示す図。
【図２】第１の実施形態に係る発光装置のグリップを握った状態を示す図。
【図３】第１の実施形態に係る発光装置の内部機構を簡略化して示す断面図。
【図４】第１の実施形態に係る発光装置の制御ユニットの概要を示す図。
【図５】色スイッチをオンにしたときのＬＥＤ群の発光状態を示す図。
【図６】フェードスイッチおよび色スイッチのオンオフを切り替えたときのＬＥＤ群の発光状態を示す図。
【図７】切替スイッチをオンにしたときのＬＥＤ群の発光状態を示す図。
【図８】第４の発光パターンを赤色、緑色および青色の各色に分解して示す図。
【図９】第５の発光パターンを赤色、緑色および青色の各色に分解して示す図。
【図１０】第２の実施形態に係る発光装置を各方向から見た図であり、（ａ）は前方から見た正面図、（ｂ）は右方から見た右側面図、（ｃ）は後方から見た背面図、（ｄ）は上方から見た平面図、（ｅ）は下方から見た底面図。
【図１１】第３の実施形態に係る発光装置の概要を示す図。
【図１２】第３の実施形態に係る発光装置のグリップを握った状態を示す図。
【図１３】第３の実施形態に係る発光装置を各方向から見た図であり、（ａ）は前方から見た正面図、（ｂ）は右方から見た右側面図、（ｃ）は後方から見た背面図、（ｄ）は上方から見た平面図、（ｅ）は下方から見た底面図。
【図１４】第３の実施形態に係る発光装置の制御ユニットの概要を示す図。
【発明を実施するための形態】
【００２４】
図１に、本発明の第１の実施形態に係る発光装置１の概要を示している。発光装置１は、片手９０で握る円筒状のグリップ（把持部）１０と、グリップ１０の長手方向（上下方向）１００の一端（上端）１１に取り付けられ、３つのＬＥＤ（発光素子）群６０を収納した棒状（円筒状）の発光ユニット（発光部）５０とを有する。３つのＬＥＤ群６０のそれぞれは、赤色ＬＥＤ６１と、緑色ＬＥＤ６２と、青色ＬＥＤ６３とを含み、長手方向１００にほぼ等間隔に配置されている。
【００２５】
発光装置１は、グリップ１０の指で操作しやすい位置に取り付けられた３つの色スイッチ２１〜２３を含む。人差し指９２で操作される位置に配置された色スイッチ（第１の色スイッチ、Ｒスイッチ）２１は赤色ＬＥＤ６１、中指９３で操作される位置に配置された色スイッチ（第２の色スイッチ、Ｇスイッチ）２２は緑色ＬＥＤ６２、薬指９４で操作される位置に配置された色スイッチ（第３の色スイッチ、Ｂスイッチ）２３は青色ＬＥＤ６３の発光のオンオフを制御する。
【００２６】
発光ユニット５０は、全体が乳白色（半透明）の樹脂製で、円筒形のカバー５５と、カバー５５に収納された３つのＬＥＤ群６０とを含む。発光ユニット５０の外形は、円筒状に限らず、グリップ１０の一端１１に取り付けられる種々の形状、たとえば半円状、平板状、円錐状、球状、星形、ハート形などであってもよい。この発光装置１は、発光ユニット５０とグリップ１０とが直線的に接続されたペン型（トーチ型、リニアタイプ）で、コンサート会場などで使用するのに好適なペン型のハンディーライト（ペンライト、チアライト）である。
【００２７】
リニアタイプの発光装置１は、発光ユニット５０が、グリップ１０の親指９１の側（上端１１）にのみ取り付けられたものに限定されず、グリップ１０の小指９５の側（下端１２）にのみ取り付けられたものや、グリップ１０の上端１１および下端１２の両端（両側）に取り付けられたものであってもよい。
【００２８】
３つの色スイッチ２１〜２３のそれぞれは、押しボタン式または指を押し下げる圧力や電位などの変化を感知することでオンオフする方式のスイッチで、片手９０の人差し指９２、中指９３および薬指９４により操作可能な位置に配置されている。本例では、グリップヘッド側１０ａからグリップエンド側１０ｂに向けて順に、Ｒスイッチ２１、Ｇスイッチ２２およびＢスイッチ２３が長手方向１００にほぼ等間隔に一列に並ぶように配置されている。このため、このグリップ１０をグリップヘッド側１０ａに親指９１を向けて握ったときに、Ｒスイッチ２１は人差し指９２、Ｇスイッチ２２は中指９３、Ｂスイッチ２３は薬指９４により操作することができる。
【００２９】
なお、Ｒスイッチ２１、Ｇスイッチ２２およびＢスイッチ２３の配置はこれに限定されず、小指９５でも操作されるように配置してもよい。さらに、発光ユニット５０にＲＧＢに加えて中間色または白色などの他の色を出力するＬＥＤを配置し、グリップに４色または白色を含めたＬＥＤをそれぞれ操作する４つのスイッチを、４本の指でそれぞれ操作できるように配置してもよい。
【００３０】
発光装置１は、グリップ１０の親指９１で操作される位置に配置されたスイッチ２４および２５を含む。スイッチ２４は、色スイッチ２１〜２３により操作される機能をプログラム制御機能に切り替えるスイッチであり、以降においては切替スイッチと称する。スイッチ２５は、色スイッチ２１〜２３により操作される機能をフェード制御機能に切り替えるスイッチであり、以降においてはフェードスイッチと称する。本例の切替スイッチ２４およびフェードスイッチ２５は、Ｒスイッチ２１よりもグリップヘッド側１０ａに、３つの色スイッチ２１〜２３の並びとは列をずらして、グリップヘッド側１０ａからグリップエンド側１０ｂに向けて順に、長手方向１００に並ぶように配置されている。
【００３１】
グリップ１０は、親指９１を添える部分が外周面１５ａよりも窪んだ第１の親指用凹部４１および第２の親指用凹部４２を含む。さらに、グリップ１０は、人差し指９２、中指９３、薬指９４および小指９５のそれぞれを添える部分が外周面１５ａよりも窪んだ人差し指用凹部４３、中指用凹部４４、薬指用凹部４５および小指用凹部４６を含む。本例では、切替スイッチ２４が第１の親指用凹部４１、フェードスイッチ２５が第２の親指用凹部４２、Ｒスイッチ２１が人差し指用凹部４３、Ｇスイッチ２２が中指用凹部４４、Ｂスイッチ２３が薬指用凹部４５に配置されている。
【００３２】
グリップ１０の他端１２の側のグリップエンド１３は、外周面１５ａの掌９０ａで握る部分よりも若干太くなって（広がって）いる。このため、掌９０ａがグリップエンド１３に引っ掛かるので、スイッチ２１〜２５を操作する指先でグリップ１０を強固に握らなくても、グリップ１０を適当な力で把持し、発光装置１を振り回せる。
【００３３】
図２に、発光装置１のグリップ１０を握った状態を示している。この発光装置１においては、グリップ１０に凹部４１〜４６が形成されている。このため、指９１〜９５のそれぞれを凹部４１〜４６のいずれかに収めることによりグリップ１０を確実に把握できる。さらに、全てのスイッチ２１〜２５が凹部４１〜４５に配置されている。このため、グリップ１０を握った状態でスイッチング操作を行いやすい。また、切替スイッチ２４およびフェードスイッチ２５が若干グリップヘッド側１０ａを向くように配置されているので、親指９１によりスイッチング操作を行いやすい。
【００３４】
図３に、発光装置１の内部機構を簡略化して断面図により示している。発光装置１の上半部は発光ユニット５０であり、カバー５５と、カバーに収納される３つのＬＥＤ群６０を実装（支持）するとともに電気的に接続するＬＥＤ基板７１とを含む。発光装置１の下半部はグリップ１０であり、上述したようにそれぞれの指が掴む形に成形された樹脂または布などのつかみやすい素材で外装されたハウジング１５を有する。ハウジング１５には、ＬＥＤ基板７１と電気的に接続されたドライバ基板７２と、ドライバ基板７２に搭載された制御ユニット（コントローラ）７３と、全てのスイッチ２１〜２５を実装するためのスイッチ基板７４と、ＬＥＤ６１〜６３に電力を供給する電源（電池）ボックス７５と、電池ボックス内の電池を充電する発電ユニット７６とが収納されている。
【００３５】
ＬＥＤ基板７１には各ＬＥＤ６１〜６３を駆動するドライバ回路が搭載されている。コントローラ７３は、３つのＬＥＤ群６０の発光を制御する各種機能（制御機能ユニット、制御ユニット）と、後述する発光パターンを記憶する機能とを含む。コントローラ７３は、典型的にはＣＰＵと、フラッシュメモリなどの不揮発性のメモリとを含み、メモリに記憶されたプログラムと、設定値（ライブラリ、パターンファイル）とがＣＰＵにロードされ、各種の機能が実現される。
【００３６】
スイッチ基板７４には、全てのスイッチ２１〜２５が実装されており、スイッチ２１〜２５によりコントローラ７３を制御することにより発光ユニット５０の動作（機能）を制御する。この発光装置１においては、これらのスイッチ２１〜２５は電源のオンオフスイッチも兼ねる。すなわち、スイッチ２１〜２５のいずれかを操作することにより発光装置１の電源がオンとなり、全てのスイッチ２１〜２５を一定時間操作しないことにより電源がオフとなる。
【００３７】
発電ユニット７６は、内部に振動子などの発光装置の振れ（揺れ、振動）を捉えて発電する機構と、紐あるいはレバーを取り付けて発電機を意図的に回転させることにより発電する機構とを含む。これら機構のいずれか一方を含む発電ユニットであってもよい。発光装置１は、軽量化あるいは低コスト化のために発電ユニット７６を含まないものであってもよい。発電ユニット７６を設けることにより、電池を交換せずに発光装置１を使用できる。この発光装置１は、基本的に発光ユニット５０を揺らしたり、振ったりして、所望の軌跡を描かせながら使用するものである。したがって、発電ユニット７６を内蔵することにより、発光ユニット２０を揺らたりするときのエネルギーで発電することにより電池の電力消費量を低減でき、電池を交換せずに長時間にわたり発光ユニット２０を使用できる。
【００３８】
図４に、発光装置１のコントローラ７３の概要を示している。本例のコントローラ７３は、切替スイッチ２４を押すことにより３つの色スイッチ２１〜２３の機能を切り替える機能ユニット（セレクタユニット）８１と、メモリ（不図示）に予め格納された複数の発光パターンのいずれかにしたがってＬＥＤ６１〜６３の発光強度およびタイミングを制御（駆動）する機能ユニット（プログラム制御ユニット）８２と、フェードスイッチ２５を押すことによりＬＥＤ６１〜６３の発光強度をフェードインおよびフェードアウトするように制御する機能ユニット（フェード制御ユニット）８３とを含む。コントローラ７３がＣＰＵを含み、プログラムにより制御される場合は、これらの制御ユニット８１〜８３としての機能はプログラムを実行することにより行われる。
【００３９】
セレクタユニット８１は、切替スイッチ２４を押すことにより色スイッチ２１〜２３により操作される機能を、直にＬＥＤ６１〜６３をそれぞれオンオフ制御する機能（第１の機能）から、プログラム制御ユニット８２がＬＥＤ６１〜６３を制御するパターンをメモリに格納されたパターン３１〜３７から選択する機能（第２の機能）に切り替える。したがって、色スイッチ２１〜２３は、ＬＥＤ６１〜６３を直に操作するスイッチであってもよく、プログラム制御ユニット８２としての機能を含む制御ユニット（ＣＰＵ、マイクロコンピュータ）７３を操作する３ビットスイッチであってもよい。この発光装置１では、ＬＥＤ６１〜６３をコントローラ７３を介して常に制御（オンオフ、フェードイン、フェードアウト）しているので、以降では、色スイッチ２１〜２３を３ビットスイッチとして説明することがある。
【００４０】
なお、３つの色スイッチ２１〜２３を所定の手順（条件）、たとえば所定のスイッチを所定の時間、所定の回数押さえる操作パターン（スイッチングパターン、運指情報）をセレクタユニット８１に設定しておくことにより、入力されたスイッチングパターンにしたがって３つの色スイッチ２１〜２３の機能の切り替えを行うようにしてもよい。一例は、色スイッチ２１〜２３を同時に２回押したり、３回押したり、１０秒間押してから離したりすることである。切替スイッチ２４を設けることなく、３つの色スイッチ２１〜２３を操作することにより機能の切り替えを行うことができる。
【００４１】
プログラム制御ユニット８２は、スイッチ２１〜２３の３ビットスイッチングにより選択されたパターンにしたがってドライバ回路７７を介してそれぞれの色のＬＥＤ６１〜６３の発光のタイミングおよび強度を制御する。したがって、本例では、切替スイッチ２４が親指９１で押し下げられていないとプログラム制御ユニット８２によりＬＥＤ６１〜６３は駆動されない。逆に、スイッチ２１〜２３のいずれかが押し下げられた状態で切替スイッチ２４が押されると、ＬＥＤ６１〜６３はプログラム制御ユニット８２により制御され、色スイッチ２１〜２３で色を選択してオンオフしている場合とは異なるパターンでＬＥＤ６１〜６３が発光する（第２の機能）。
【００４２】
フェード制御ユニット８３は、色スイッチ２１〜２３により選択されている色のＬＥＤ６１〜６３の発光をフェードインし、点灯しているＬＥＤ６１〜６３が色スイッチ２１〜２３により選択されなくなるとＬＥＤ６１〜６３の発光をフェードアウトする機能を含む。したがって、フェードスイッチ２５は、フェード制御ユニット８３をオンオフすることにより、複数の色スイッチ２１〜２３の機能を直（パルス的）にＬＥＤ６１〜６３をオンオフする第１の機能から、ＬＥＤ６１〜６３の輝度を徐々に増加（フェードイン）および徐々に減少（フェードアウト）させる第３の機能に切り替える。たとえば、フェードスイッチ２５を押して色スイッチ２１〜２３のいずれかを押すと、そのＬＥＤ６１〜６３がフェードインし、その途中でフェードスイッチ２５を離すとＬＥＤ６１〜６３はパルス的に発光する。フェードアウトする場合も同様であり、フェードスイッチ２５を操作することにより、ＬＥＤ６１〜６３をフェードインおよびフェードアウトする制御と、ＬＥＤ６１〜６３をパルス的にオンオフする制御とを瞬時に入れ替えることができる。
【００４３】
まず、この発光装置１においては、切替スイッチ２４をオフにした状態（押していない状態）でＲスイッチ２１、Ｇスイッチ２２およびＢスイッチ２３のいずれかまたは複数をオンにすると（押すと）、それぞれのスイッチ２１〜２３に対応する色のＬＥＤ６１〜６３が発光する。このため、ユーザーは、赤色Ｒ、緑色Ｇおよび青色Ｂの３つの色の光を独立または混合させることにより、所望の色の光で、かつ所望のタイミングでコンサート会場などの様々な空間を照射（演出）できる（第１の機能）。
【００４４】
次に、フェードスイッチ２５をオンした（押した）状態で色スイッチ２１〜２３のいずれかまたは複数をオンにする（押す）と、それぞれのスイッチ２１〜２３に対応するＬＥＤ６１〜６３の発光強度（輝度）が徐々に増加し、そのＬＥＤ６１〜６３の色の強度が徐々に増加することにより発光ユニット５０から出力される光の色が徐々にグラデーション的に変化する。したがって、フェード制御ユニット８３によりＬＥＤ６１〜６３の中間色を表現できる。一方、フェードスイッチ２５をオンして色スイッチ２１〜２３のいずれかまたは複数をオフにすると、それぞれのスイッチ２１〜２３に対応するＬＥＤ６１〜６３の発光強度（輝度）が徐々に減少し、そのＬＥＤ６１〜６３の色の強度が徐々に減少することにより発光ユニット５０から出力される光の色をグラデーション的に変化させることができる（第３の機能）。
【００４５】
図５に、３つの色スイッチ２１〜２３の少なくともいずれかをオンにしたときのＬＥＤ群６０の発光状態を示している。切替スイッチ２４がオフの状態でＲスイッチ２１をオンにする（人差し指９２で押して中指９３および薬指９４を離す）と赤色ＬＥＤ６１が発光して赤色Ｒの光が出力される。同様に、Ｇスイッチ２２をオンにする（中指９３で押して人差し指９２および薬指９４を離す）と緑色ＬＥＤ６２が発光して緑色Ｇ、Ｂスイッチ２３をオンにする（人差し指９２および中指９３を離して薬指９４で押す）と青色ＬＥＤ６３が発光して青色Ｂの光が出力される。全てのスイッチ２１〜２３をオフにする（人差し指９２、中指９３および薬指９４を離す）と発光しない。
【００４６】
さらに、Ｒスイッチ２１およびＧスイッチ２２をオンにする（人差し指９２および中指９３で押して薬指９４を離す）と赤色ＬＥＤ６１および緑色ＬＥＤ６２が発光してイエロー（黄色）Ｙ、Ｒスイッチ２１およびＢスイッチ２３をオンにする（人差し指９２および薬指９４で押して中指９３を離す）と赤色ＬＥＤ６１および青色ＬＥＤ６３が発光してマゼンタ（赤紫色）Ｍ、Ｇスイッチ２２およびＢスイッチ２３をオンにする（中指９３および薬指９４で押して人差し指９２を離す）と緑色ＬＥＤ６２および青色ＬＥＤ６３が発光してシアン（空色）Ｃ、全てのスイッチ２１〜２３をオンにする（人差し指９２、中指９３および薬指９４で押す）と赤色ＬＥＤ６１、緑色ＬＥＤ６２および青色ＬＥＤ６３が発光してホワイト（白色）Ｗの光が出力される。
【００４７】
したがって、この発光装置１は、ギターの弦を所定のコード（和音）が出るように押さえたり、トランペットのピストン（ピストンバルブ）を所定の音色が出るように押さえたりするのと同様に、所定の指使い（運指、スイッチング）をすることにより所望の色の光を出力させることができる。このため、色スイッチ２１〜２３を操作する指使いに慣れれば、指使いと色とを直感的に一致させることができ、楽器などを操作（演奏）するのと同様の感覚で光を奏でる楽器のように発光装置１を制御して、発色させることができる。さらに、切替スイッチ２４およびフェードスイッチ２５を操作することにより、発光ユニット５０から発光させる光の色およびパターンはさらに増える。
【００４８】
また、この発光装置１は、片手９０でグリップ１０を把持しながら、指先の指使いで、様々な色の光を出力できるので、発光装置１を動かしながら操作でき、様々な色の光が描く軌跡を様々にアレンジできる。したがって、この発光装置１により様々な色の光で空間を描画（演出）できる。さらに、この発光装置１のグリップ１０を片手９０で把持しながら、他方の手を別の用途に使ったり、両方の手で２つの発光装置１をそれぞれ把持して演出することも可能である。
【００４９】
図６は、フェードスイッチ２５を押してＲスイッチ２１をオンオフしたときの赤色ＬＥＤ６１の発光状態を示すタイミングチャートである。なお、他のスイッチ２２および２３をオンオフしたときの他の色のＬＥＤ６２および６３の発光状態も同様であり、単色でオンオフする代わりに複数のＬＥＤ６１〜６３が点灯した状態でフェードインおよびフェードアウトすると発光輝度とともに発色が徐々に変化する。
【００５０】
時刻ｔ１に、フェードスイッチ２５をオフした状態でＲスイッチ２１をオンすると赤色ＬＥＤ６１が輝度１００％で直ちに発光する。時刻ｔ２に、Ｒスイッチ２１をオフすると赤色ＬＥＤ６１が輝度０％となり直ちに消灯する。
【００５１】
時刻ｔ３に、フェードスイッチ２５をオンしながら、時刻ｔ４にＲスイッチ２１をオンすると、赤色ＬＥＤ６１が輝度０％から徐々にフェードインして時刻ｔ５に輝度１００％に達する。時刻ｔ６に、Ｒスイッチ２１をオフすると赤色ＬＥＤ６１が輝度１００％からフェードアウトして、時刻ｔ７に、輝度０％となり消灯する。
【００５２】
時刻ｔ８に、フェードスイッチ２５をオンした状態でＲスイッチ２１をオンすると赤色ＬＥＤ６１を輝度０％からフェードインする。輝度５０％程度の時刻ｔ９に、Ｒスイッチ２１をオフすると赤色ＬＥＤ６１が輝度１００％に達する前にフェードアウトして、時刻ｔ１０に、輝度０％となり消灯する。
【００５３】
時刻ｔ１１に、フェードスイッチ２５をオンした状態でＲスイッチ２１をオンすると赤色ＬＥＤ６１が輝度０％からフェードインして、時刻ｔ１２に、輝度１００％で発光する。時刻ｔ１３に、Ｒスイッチ２１をオフすると赤色ＬＥＤ６１が輝度１００％からフェードアウトする。輝度５０％程度の時刻ｔ１４に、Ｒスイッチ２１をオンすると赤色ＬＥＤ６１が輝度０％に達する前にフェードインして、時刻ｔ１５に、輝度１００％で発光する。時刻ｔ１６に、Ｒスイッチ２１をオフすると赤色ＬＥＤ６１が輝度１００％から徐々にフェードアウトして、時刻ｔ１７に輝度０％となり消灯する。
【００５４】
時刻ｔ１８に、フェードスイッチ２５がオンの状態でＲスイッチ２１をオンすると赤色ＬＥＤ６１が輝度０％からフェードインする。輝度が５０％程度の時刻ｔ１９に、フェードスイッチ２５をオフすると赤色ＬＥＤ６１は輝度１００％で直ちに発光する。すなわち、色スイッチ２１の機能がダイナミックにフェード制御（第３の機能）からオンオフ制御（第１の機能）に変わる。時刻ｔ２０に、フェードスイッチ２５をオンに切り替え、時刻ｔ２１に、フェードスイッチ２５がオンの状態でＲスイッチ２１をオフすると赤色ＬＥＤ６１を輝度１００％から徐々にフェードアウトする。輝度５０％程度の時刻ｔ２２に、フェードスイッチ２５をオフすると赤色ＬＥＤ６１が輝度０％となり直ちに消灯する。
【００５５】
図７に、切替スイッチ２４をオンしたときのＬＥＤ群６０の発光状態（発光パターン）を示している。第１の発光パターン３１は、ＲＧＢのスイッチ２１〜２３がオフ、オフ、オン、すなわち、ＲＧＢスイッチ２１〜２３が（０、０、１）（人差し指９２および中指９３が離れ、薬指９４でスイッチ２３を押した状態）で選択される。第１の発光パターン３１は、０．３秒間隔で赤色Ｒ、シアンＣ、イエローＹ、マゼンタＭ、緑色Ｇ、青色ＢおよびホワイトＷの順に、各色とも輝度１００％で連続的に発色させることができる。
【００５６】
第２の発光パターン３２は、ＲＧＢスイッチ２１〜２３が（０、１、０）（人差し指９２および薬指９４が離れ、中指９３でスイッチ２２を押した状態）で選択される。第１の発光パターン３１との相違は、各色の発光（オンオフ）が０．２秒間隔になることである。第３の発光パターン３３は、ＲＧＢスイッチ２１〜２３が（０、１、１）（人差し指９２が離れ、中指９３および薬指９４でスイッチ２２および２３を押した状態）で選択される。第１の発光パターン３１との相違は、各色が０．１秒間隔で連続的に発光することである。
【００５７】
第４の発光パターン３４は、ＲＧＢスイッチ２１〜２３が（１、０、０）（人差し指９２でスイッチ２１が押され、中指９３および薬指９４が離れた状態）で選択される。第４の発光パターン３４は、０．１５秒間隔で赤色Ｒ、イエローＹ、緑色Ｇ、シアンＣ、青色Ｂ、マゼンタＭおよびホワイトＷの順に、各色ともフェードインおよびフェードアウトを繰り返しながらグラデーション発色させることができる。
【００５８】
第５の発光パターン３５は、ＲＧＢスイッチ２１〜２３が（１、０、１）（人差し指９２および薬指９３でスイッチ２１および２３が押され、中指９３が離れた状態）で選択される。第４の発光パターン３４との相違は、各色が０．４秒間隔でグラデーション発色することである。
【００５９】
第６の発光パターン３６は、ＲＧＢスイッチ２１〜２３が（１、１、０）（人差し指９２および中指９３でスイッチ２１および２２が押され、薬指９４が離れた状態）で選択される。第６の発光パターン３６は、０．１秒間隔で赤色Ｒ、シアンＣ、イエローＹ、マゼンタＭ、緑色Ｇ、青色ＢおよびホワイトＷの順に、各色とも輝度１００％で０．０５秒間ずつ点灯することにより断続的に発色（点滅）する。
【００６０】
第７の発光パターン３７は、ＲＧＢスイッチ２１〜２３が（１、１、１）（人差し指９２、中指９３および薬指９４でスイッチ２１、２２および２３が押された状態）で選択される。第７の発光パターン３７は、０．０５秒間隔でホワイトＷが輝度１００％で０．０５秒間ずつ点灯することにより断続的に発色（点滅）する。なお、７つの発光パターン３１〜３７は、本例に限らず、種々の発光パターンをメモリ（不図示）に予め格納しておくことができる。
【００６１】
図８に、第４の発光パターン３４を赤色Ｒ、緑色Ｇおよび青色Ｂの各色に分解して示している。赤色ＬＥＤ６１は、０〜０．１５秒において輝度０％から１００％まで徐々にフェードインし、０．１５〜０．３０秒において輝度１００％で発光し、０．３０〜０．４５秒において輝度１００％から０％まで徐々にフェードアウトし、０．４５〜０．７５秒において輝度０％で消灯し、０．７５〜０．９０秒において輝度０％から１００％まで徐々にフェードインし、０．９０〜１．０５秒において輝度１００％で発光し、１．０５〜１．２０秒において輝度１００％から０％まで徐々にフェードアウトし、１．２０秒以降は上記を繰り返す。
【００６２】
緑色ＬＥＤ６２は、０〜０．１５秒において輝度０％で消灯し、０．１５〜０．３０秒において輝度０％から１００％まで徐々にフェードインし、０．３０〜０．６０秒において輝度１００％で発光し、０．６０〜０．７５秒において輝度１００％から０％まで徐々にフェードアウトし、０．７５〜０．９０秒において輝度０％で消灯し、０．９０〜１．０５秒において輝度０％から１００％まで徐々にフェードインし、１．０５〜１．２０秒において輝度１００％から０％まで徐々にフェードアウトし、１．２０秒以降は上記を繰り返す。
【００６３】
青色ＬＥＤ６３は、０〜０．４５秒において輝度０％で消灯し、０．４５〜０．６０秒において輝度０％から１００％まで徐々にフェードインし、０．６０〜１．０５秒において輝度１００％で発光し、１．０５〜１．２０秒において輝度１００％から０％まで徐々にフェードアウトし、１．２０秒以降は上記を繰り返す。
【００６４】
このため、第４の発光パターン３４においては、０．１５秒において赤色Ｒ、０．３０秒において赤色Ｒおよび緑色Ｇが合成されたイエローＹ、０．４５秒において緑色Ｇ、０．６０秒において緑色Ｇおよび青色Ｂが合成されたシアンＣ、０．７５秒において青色Ｂ、０．９０秒において赤色Ｒおよび青色Ｂが合成されたマゼンタＭ、１．０５秒において赤色Ｒ、緑色Ｇおよび青色Ｂが合成されたホワイトＷを発色できるので、０．１５秒間隔で７色をグラデーション表示できる。
【００６５】
図９に、第５の発光パターン３５を赤色Ｒ、緑色Ｇおよび青色Ｂの各色に分解して示している。第５の発光パターン３５においても、第４の発光パターン３４と同様に、０．４秒間隔で７色をグラデーション表示できる。
【００６６】
この発光装置１においては、色スイッチ２１〜２３の機能をオンオフ機能（第１の機能）とプログラム制御ユニット８２のパターン選択機能（第２の機能）との間で切り替える処理も切替スイッチ２４を親指９１でオンオフすることで行われる。したがって、同じ指使いで、親指９１で切替スイッチ２４を切り替えるだけで発光ユニット５０から出力される光のパターンをダイナミックに切り替えることができる。たとえば、人差し指９２および中指９３を離して薬指９４で色スイッチ２３を押した状態で親指９１により切替スイッチ２４を操作すると、発光ユニット５０からの発光状態を青色Ｂの連続点灯と、第１の発光パターン３１とに切り替えることができる。
【００６７】
このように、ユーザーは発光装置１を片手９０で持ってさまざまな動作を行うとともに、片手９０でスイッチ２１〜２５を操作して発光ユニット５０から出力される光のパターン（色、点滅のタイミング、時間的な変化など）を指使い（指の配置、指のパターン）で自在に制御できる。このため、ユーザーは、さまざまな光のパターンをさまざまな軌跡で出力することができ、舞台、観覧席、屋内外などのさまざまな場所で、自在に光を演出することが可能となる。さらに、この発光装置１に発光ユニット５０の発光状態をロックする機能を設けることも可能である。
【００６８】
図１０（ａ）〜（ｅ）に、本発明の第２の実施形態に係る発光装置２を各方向から見た様子を示している。なお、発光装置２を左方から見た左側面図は、右側面図と対称に表れる。この発光装置２もペン型のライトであり、片手９０で握る円筒状のグリップ１０と、グリップ１０の上下方向１００の上端１１に取り付けられ、３つのＬＥＤ群６０を収納した円筒状の発光ユニット５０とを有し、発光ユニット５０とグリップ１０とが直線的に接続されている。なお、上記の実施形態と共通する部分には共通の符号を付して説明を省略する。以降においても同様である。
【００６９】
この発光装置２では、小指用凹部４６がグリップ１０の外周面１５ａの全周にわたり窪んでいる。このため、小指９５をこの小指用凹部４６に沿って配置することにより、グリップ１０をいっそう容易にかつ安定的に把握しやすい。さらに、発光装置２を振り回しても小指用凹部４６により小指９５を支持できるので、グリップ１０が抜け落ちることも抑制しやすい。
【００７０】
図１１に、本発明の第３の実施形態に係る発光装置３の概要を示している。図１２に、発光装置３のグリップ１０を握った状態を示している。図１３（ａ）〜（ｅ）に、発光装置３を各方向から見た様子を示している。なお、発光装置３を左方から見た左側面図は、右側面図と対称に表れる。
【００７１】
発光装置３は、全体が円盤状であり、ほぼ中央に人差し指９２、中指９３、薬指９４および小指９５を通す空間（開口）１０ｘを備えた吊り輪状（吊り革状）のグリップ１０と、グリップ１０の手の甲９０ｂの側で、グリップ１０の表面１６の上側三分の一の位置に表面１６と面一に取り付けられ、フルカラー対応のＬＥＤ６０を収納した半月状の発光ユニット５０とを有する。この発光装置３は、発光ユニット５０とグリップ１０とが手指を通す空間１０ｘを介して並列に接続されたリング型（パラレルタイプ）のハンディーライトである。このグリップ１０は、吊り革と同様に手を通すことができる開口１０ｘを含むので、グリップ１０を把握していなくても、この開口１０ｘに手指を引っ掛けておくことにより、発光装置３が落下することを防止できる。
【００７２】
パラレルタイプの発光装置３の他の例は、発光ユニット５０が、グリップ１０の手の甲９０ｂの側にのみ取り付けられたものに限定されず、グリップ１０の手の平（掌）９０ａの側にのみ取り付けられたものや、グリップ１０の手の甲９０ｂおよび手の平９０ａの両側に取り付けられたものであってもよい。
【００７３】
この発光装置３は、グリップ１０を吊り革同様に掴んだときに手指で操作しやすい位置に取り付けられたスイッチ２１〜２５を含む。スイッチ２１〜２３および２５は、グリップ１０の表面１６に左右方向２００にほぼ等間隔に一列に並ぶように配置され、Ｒスイッチ２１は人差し指９２、Ｇスイッチ２２は中指９３、Ｂスイッチ２３は薬指９４、フェードスイッチ２５は小指９５で操作される位置に配置されている。切替スイッチ２４は、グリップ１０の側面１７に左右一組で配置され、右側の切替スイッチ２４ａは開口１０ｘに右手９０の人差し指９２、中指９３、薬指９４および小指９５を通したときに右手９０の親指９１で操作される位置、左側の切替スイッチ２４ｂは開口１０ｘに左手（不図示）を通した時に左手の親指で操作される位置に配置されている。
【００７４】
図１４に、発光装置３のコントローラ７３の概要を示している。コントローラ７３は、色スイッチ２１〜２３および／またはフェードスイッチ２５のそれぞれに割り当てられた機能を切り替えるセレクタユニット８１を含む。セレクタユニット８１は、スイッチ２１〜２５のそれぞれをメモリ９９に予め格納された所定の手順（アルゴリズム）で操作することにより、スイッチ２１〜２３および２５のそれぞれに割り当てられる機能を変えるスイッチングパターンを含む。
【００７５】
コントローラ７３は、さらに、ＬＥＤ６１〜６３の発光パターンを制御するプログラム制御ユニット８２と、ＬＥＤ６１〜６３の発光強度を制御するフェード制御ユニット８３と、スイッチ２１〜２３および２５の配列を制御する配列制御ユニット（スイッチ反転ユニット）８４と、ＬＥＤ６１〜６３の発色をユーザーが調色および保存するプリセットユニット（色設定ユニット）８５と、発光装置３を振る動作に対応してＬＥＤ６１〜６３の出力を制御するモーション制御ユニット（モーション調光ユニット）８６と、ＬＥＤ６１〜６３の発光状態を保持する自己保持ユニット８７とを含む。
【００７６】
セレクタユニット８１は、切替スイッチ２４を１回押すこと（第１のスイッチングパターン）により、色スイッチ２１〜２３により操作される機能（コントローラ７３により提供される機能）を、ＬＥＤ６１〜６３をオンオフ制御する第１の機能（オンオフ制御機能）から、プログラム制御ユニット８２がメモリ９９に格納されたパターン３１〜３７からＬＥＤ６１〜６３を制御するパターンを選択する第２の機能（パターン選択機能）に切り替える。さらに切替スイッチ２４を押すと、第２の機能から第１の機能に切り替わる。
【００７７】
セレクタユニット８１は、フェードスイッチ２５を１回押すこと（第２のスイッチングパターン）により、色スイッチ２１〜２３により操作される機能を、パルス的にＬＥＤ６１〜６３をオンオフ制御する第１の機能から、フェード制御ユニット８３がＬＥＤ６１〜６３の輝度（発光強度）をフェードインおよびフェードアウトする第３の機能（フェード機能）に切り替える。さらにフェードスイッチ２５を押すと、第３の機能から第１の機能に切り替わる。
【００７８】
また、セレクタユニット８１は、配列制御ユニット８４としての機能を含む。配列制御ユニット８４は、スイッチ２１〜２５の全てを同時に２秒間長押しする（第３のスイッチングパターン）毎に色スイッチ２１〜２３およびフェードスイッチ２５により操作される各機能の配列を左右反転させる。反転前に右手９０の人差し指９２で操作されるＲスイッチ２１に割り当てられていた赤色ＬＥＤ６１をオンオフ制御する機能は、反転後に左手（不図示）の小指で操作されるフェードスイッチ２５の機能に切り替わる。同様に、反転前に右手９０の中指９３で操作されるＧスイッチ２２に割り当てられていた緑色ＬＥＤ６２をオンオフ制御する機能は、反転後に左手の薬指で操作される青色ＬＥＤ６３をオンオフ制御する機能に切り替わり、反転前に右手９０の薬指９４で操作されるＢスイッチ２３に割り当てられていた青色ＬＥＤ６３をオンオフ制御する機能は、反転後に左手の中指で操作される緑色ＬＥＤ６２をオンオフ制御する機能に切り替わる。また、反転前に右手９０の小指９５で操作されるフェードスイッチ２５の機能は、反転後に左手の人差し指９２で操作される赤色ＬＥＤ６１をオンオフ制御するスイッチの機能に切り替わる。また、切替スイッチ２４はグリップ１０の左右両側の側面１７に１つずつ設けられおり、右側の切替スイッチ２４ａは反転前に右手９０の親指９１で操作され、左側の切替スイッチ２４ｂは反転後に左手の親指で操作される。
【００７９】
このように、スイッチ反転ユニット８４は、右手９０により操作される各スイッチ２１〜２３、２５のそれぞれの機能を、左手で操作される機能に切り替える。このため、この発光装置３を左右いずれかの手に持ち替えたり、２つの発光装置３を両方の手にそれぞれ持ったりしても、スイッチ２１〜２３および２５を操作する指を変える必要はなく、両手とも同じ運指（スイッチング）で色スイッチ２１〜２３およびフェードスイッチ２５を操作できる。したがって、左手用、右手用という別々の発光装置３を用意する必要はなく、同じ発光装置３を右手モードと左手モードとに切り替えることで使用できる。したがって、経済的で、ユーザーが持ち手を自由に選択でき、取扱いも容易な発光装置３を提供できる。
【００８０】
さらに、このセレクタユニット８１は、スイッチ２１〜２５の全てを同時に２秒間長押しすることを２回繰り返すこと（第４のスイッチングパターン）により、色スイッチ２１〜２３およびフェードスイッチ２５により操作される機能（コントローラ７３により提供される機能）をプリセット機能（プリセットユニット）８５に切り替える。プリセットユニット８５は、ユーザーがＬＥＤ６１〜６３の発色を調色および保存すること（第５の機能、プリセット機能）を可能にする。プリセットユニット８５は、まず、色スイッチ２１〜２３にＬＥＤ６１〜６３の発光強度を８階調で段階的に変化させる機能（階調制御機能）を割り当てる。それぞれのＬＥＤ６１〜６３の発光強度は、輝度０％から、各スイッチ２１〜２３をオンする度に、たとえば輝度１５％、３０％、４５％、６０％、７５％、９０％、１００％の８段階に変化し、輝度１００％に達すると輝度０％に戻って同様の変化を繰り返す。ユーザーは、３色のＬＥＤ６１〜６３を８階調で変化させることにより、５１２色の中から所望の色を作成（調色、合成）できる。
【００８１】
また、プリセットユニット８５は、フェードスイッチ２５に、スイッチ２１〜２３により操作される機能を、階調制御機能とプリセット機能とに切り替える機能を割り当てる。すなわち、スイッチ２１〜２３による階調制御によりユーザーの色作りが終了すると、ユーザーがフェードスイッチ２５を押すことによりスイッチ２１〜２３の機能はプリセット機能に切り替わる。プリセット機能中においては、スイッチ２１〜２３は３ビットスイッチとなり、ユーザーが作成した色に（１（オン）、０（オフ）、０（オフ））、（０、１、０）、（０、０、１）、（１、１、０）、（１、０、１）、（０、１、１）および（１、１、１）の７つの値のいずれかを対応させてメモリ９９に記録する。たとえば、フェードスイッチ２５を押した状態で所望の値をスイッチ２１〜２３により所定の時間（たとえば２秒間）継続することによりユーザーが作成した色の登録が完了する。メモリ９９に記録（登録）された色は、プログラム制御ユニット８２により選択可能になり、ユーザーはいつでもこの発光装置３により出力できる。
【００８２】
プリセットユニット８５を用いて作られた色の階調情報は、インターネット上の投稿型の情報掲示板などにおいて、たとえば、Ｒ０Ｇ３Ｂ２（Ｒスイッチ２１が０階調、Ｇスイッチ２２が３階調、Ｂスイッチ２３が２階調）などの短く簡易的な表現で容易に伝達することが可能である。このため、コンサート会場などにおいて発光を予定する発色情報を、事前に他のユーザーと共有しておくことが可能で、他のユーザーと発光装置３を用いた共演が可能である。
【００８３】
セレクタユニット８１は、１回目のスイッチ２１〜２５の全押し受け付け後、所定の時間内（たとえば１０秒以内）に２回目の全押しがない場合はプリセットユニット８５に切り替えない。プリセットユニット８５に切り替わった後は、色作りになるので、全押しを継続してもスイッチ反転は行われない。また、セレクタユニット８５は、プリセットユニット８５に切り替わった後、所定の時間内（たとえば３０秒以内）に次の操作がなかった場合には、プリセットユニット８５を終了し、その前に設定された機能、あるいは基本的な第１の機能に戻る。
【００８４】
さらに、セレクタユニット８１は、スイッチ２１〜２５の全てを同時に２秒間長押しすることを３回繰り返すこと（第５のスイッチングパターン）により、モーション調光ユニット８６の機能をオンオフする。モーション調光ユニット８６は、発光装置３をユーザーが振る動作に対応してＬＥＤ６１〜６３の出力を制御する（第６の機能、モーション制御機能）。この発光装置３は、発光装置３を振る動作を検出する加速度センサー（Ｇセンサー）８９を含み、モーション調光ユニット８６は、Ｇセンサー８９により検出される加速度に対応する輝度信号を算出する輝度演算ユニット８６ａと、輝度演算ユニット８６ａにより算出される輝度信号によりＬＥＤ６１〜６３の輝度（発光強度）を制御する輝度制御ユニット８６ｂとを含む。
【００８５】
モーション調光ユニット８６の機能をオンにすると、発光装置３を動かしながら３つの色スイッチ２１〜２３を操作することにより、たとえば発光装置３に加わる加速度の大きさに比例してＬＥＤ６１〜６３の輝度が変わるように制御できる。したがって、ユーザーが発光装置３を揺らしたり、振ったりする様々なアクションの大きさ（激しさ）と感覚的にマッチするようにＬＥＤ６１〜６３の輝度をダイナミックに変化させることができる。モーション調光ユニット８６は、輝度に加えて、あるいは輝度とは別に、所定のパターンの発光装置３の動きに対して発光装置３の機能を変えたり、発光装置３の発色パターンを変えたりする機能を備えていてもよい。
【００８６】
さらに、セレクタユニット８１は、スイッチ２１〜２５の全てを同時に２秒間長押しすることを４回繰り返すこと（第６のスイッチングパターン）により、自己保持ユニット８７の機能をオンオフする。自己保持ユニット８７は、ＬＥＤ６１〜６３の発光状態（オン状態）を保持する（第７の機能、自己保持機能）。自己保持ユニット８７の機能がオフであると、Ｒスイッチ２１によりＬＥＤ６１を点灯する操作は、スイッチ２１をオンしている間だけ赤色ＬＥＤ６１の点灯状態を維持するモーメンタリ動作（自動復帰型）である。自己保持ユニット８７の機能をオンにすると、Ｒスイッチ２１によりＬＥＤ６１を点灯する操作は、１度オンすると赤色ＬＥＤ６１の点灯状態を維持するオルタネイト動作（位置保持型）の自己保持機能に切り替わる。Ｇスイッチ２２およびＢスイッチ２３についても同様である。自己保持ユニット８７の機能がオンになると、フェードスイッチ２５が自己保持機能により点灯状態のＬＥＤ６１〜６３を消灯する機能を果たす。
【００８７】
なお、本例のセレクタユニット８１の機能、およびそれにより選択されるスイッチ反転ユニット８４、プリセットユニット８５、モーション調光ユニット８６および自己保持ユニット８７の機能のすべてまたはいずれかを第１および第２の実施形態に係る発光装置１および２に追加することも可能である。また、各種機能を切り替えるスイッチングパターン（スイッチ操作）は上記に限定されず、たとえば、色スイッチ２１〜２３の機能をモーション調光機能に切り替える際に、スライド式のモーションスイッチを設けるようにしてもよい。他の機能への切り替えについても同様である。
【００８８】
上記実施形態では、発光ユニット５０はＬＥＤ６１〜６３を搭載した例を説明しているが、発光素子はＬＥＤに限定されず、有機ＥＬ、レーザーなどの他の発光素子でもよい。発光ユニット５０の形状はペン型に限られないことは上述した通りである。また、コントローラ７３の構成は一例であり、ＣＰＵのほかに、上記の機能が適当な回路を含む基板で構成することも可能である。また、プログラム制御ユニット８２で制御するいくつかのパターンは例示にすぎず、ユーザーが独自にパターンを作って事前にメモリに記憶させておくことができる。また、パターンの数は７つに限定されることはなく、人差し指から小指までで操作される４つ、さらに片手または両手で操作されるそれ以上のスイッチを配置することによりさらに多くのパターンから発光ユニット５０で表示するパターンを選択できるようにしてもよい。
【図１】
2013014909.tif 000003
【図２】
2013014909.tif 000004
【図３】
2013014909.tif 000005
【図４】
2013014909.tif 000006
【図１０】
2013014909.tif 000007
【図１４】
2013014909.tif 000008
【図５】
2013014909.tif 000009
【図６】
2013014909.tif 000010
【図７】
2013014909.tif 000011
【図８】
2013014909.tif 000012
【図９】
2013014909.tif 000013
【図１１】
2013014909.tif 000014
【図１２】
2013014909.tif 000015
【図１３】
2013014909.tif 000016
【手続補正書】
【提出日】平成25年6月17日(2013.6.17)
【手続補正１】
【補正対象書類名】特許請求の範囲
【補正対象項目名】全文
【補正方法】変更
【補正の内容】
【特許請求の範囲】
【請求項１】
手で握るグリップと、
前記グリップと一体になり、複数の発光素子を収納する発光ユニットであって、少なくとも３つの異なる色の光を独立または混合して出力する発光ユニットと、
予め設定された複数のパターンのいずれかにしたがって前記発光ユニットから出力される光を制御するプログラム制御ユニットと、
前記グリップの人差し指、中指、薬指および小指の少なくともいずれか３つによりそれぞれ押し下げられる位置に配置された複数の色スイッチであって、前記プログラム制御ユニットを操作し、前記異なる色の光をそれぞれオンオフ制御することを含む前記複数のパターンのいずれかを選択する機能を操作する複数の色スイッチとを有する可搬式の発光装置。
【請求項２】
請求項１において、
前記グリップは、前記人差し指、中指、薬指および小指のうちの少なくともいずれか３つの指を添える部分がそれぞれ窪んだ複数の凹部を含み、
前記複数の色スイッチは前記複数の凹部にそれぞれ配置されている、発光装置。
【請求項３】
請求項１または２において、
前記複数の色スイッチの内の予め設定された複数の色スイッチを所定の手順で操作することにより、前記複数の色スイッチにより操作される機能が変わるスイッチングパターンを含む、発光装置。
【請求項４】
請求項１ないし３のいずれかにおいて、
前記発光ユニットの前記異なる色の光をそれぞれフェードインおよびフェードアウトするフェード制御ユニットと、
前記複数の色スイッチにより操作される機能を前記フェード制御ユニットによりフェードインおよびフェードアウトさせる機能に切り替える切替スイッチとを有する、発光装置。
【請求項５】
請求項４において、
前記切替スイッチは前記グリップの親指または小指により操作される位置に配置されている、発光装置。
【請求項６】
請求項５において、
前記グリップは、前記親指または小指を添える部分が窪んだ親指用の凹部または小指用の凹部を含み、
前記切替スイッチは前記親指用の凹部または小指用の凹部に配置されている、発光装置。
【請求項７】
請求項１ないし６のいずれかにおいて、
前記複数の色スイッチの配列を反転する配列制御ユニットを有する、発光装置。
【請求項８】
請求項１ないし７のいずれかにおいて、
当該発光装置を振る動作を検出する加速度センサーと、
前記振る動作により前記発光ユニットから出力される光を制御するモーション制御ユニットを有する、発光装置。
【請求項９】
請求項８において、
前記モーション制御ユニットは、前記振る動作に対応する輝度信号により前記発光ユニットから出力される光の輝度を制御する輝度制御ユニットとを含む、発光装置。
【請求項１０】
請求項１ないし９のいずれかにおいて、
前記発光ユニットは前記グリップの延長方向に取り付けられている、発光装置。
【請求項１１】
請求項１０において、
前記グリップは片手で把持され、前記グリップの前記小指の側は掌を支持するように広がっている、発光装置。
【請求項１２】
請求項１ないし９のいずれかにおいて、
前記発光ユニットは前記グリップの、前記グリップを握ったときの手の甲および／または掌の側に取り付けられている、発光装置。
【請求項１３】
請求項１２において、
前記グリップは前記人差し指、中指、薬指および小指を通す開口を備えた吊り輪状であり、前記発光ユニットは前記開口を介して前記グリップと並列に取り付けられている、発光装置。
【請求項１４】
請求項１ないし９のいずれかにおいて、
当該発光装置は全体が円盤状または箱型であり、上側に配置された前記発光ユニットおよび下側に配置された前記グリップと、
前記発光ユニットおよび前記グリップの間に設けられた手指を通す開口とを含む、発光装置。
【請求項１５】
請求項１ないし１４のいずれかにおいて、
前記複数の発光素子が前記発光ユニットの長手方向に沿って複数の位置に分散して配置され、前記複数の位置で前記少なくとも３つの異なる色を独立または混合して出力するように配置されている、発光装置。
【請求項１６】
請求項１ないし１５のいずれかにおいて、
前記グリップに収納された２次電池と、
前記グリップに収納された発電ユニットであって、当該発光装置を振ったり、付属の紐またはレバーを駆動することにより発電して前記２次電池を充電する発電ユニットとを有する、発光装置。
【手続補正２】
【補正対象書類名】明細書
【補正対象項目名】０００４
【補正方法】変更
【補正の内容】
【０００４】
本発明の態様の１つは、手で握るグリップと、グリップと一体になり、複数の発光素子を収納する発光ユニットであって、少なくとも３つの異なる色の光を独立または混合して出力する発光ユニットと、予め設定された複数のパターンのいずれかにしたがって発光ユニットから出力される光を制御するプログラム制御ユニットと、グリップの人差し指、中指、薬指および小指の少なくともいずれか３つによりそれぞれ押し下げられる位置に配置された複数の色スイッチであって、前記プログラム制御ユニットを操作し、異なる色の光をそれぞれオンオフ制御することを含む複数のパターンのいずれかを選択する機能を操作する複数の色スイッチとを有する可搬式の発光装置である。
【国際調査報告】
2013014909.tif 000017
2013014909.tif 000018
2013014909.tif 000019
2013014909.tif 000020